【手続補正書】
【提出日】平成17年1月6日(2005.1.6)
【手続補正１】
【補正対象書類名】明細書
【補正対象項目名】全文
【補正方法】変更
【補正の内容】
【書類名】  明細書    
【発明の名称】穴釣り用釣竿穂先部およびこれを取付けた穴釣り用釣竿                【特許請求の範囲】
【請求項１】  握持杆部の先端に取付けられる穂先部であって、ステンレス鋼またはリン青銅製の板体で形成され、先端方向に向けて徐々に幅細であると共に、部材の表裏両面を先端方向に向かって徐々に薄く形成し、穂先部の基部厚みに対して先端厚みを五分の一乃至三十分の一に形成したことを特徴とする穴釣り用釣竿穂先部。
【請求項２】  ステンレス鋼が、マンガン成分の添加量が１１乃至１６％であるオーステナイト系の高マンガン強力鋼であるか、析出硬化系の１７−７ＰＨ鋼であり、またリン青銅が、ＪＩＳ規格Ｈ３１３０のＰＢＳＰ、バネ用リン青銅であることを特徴とする請求項１記載の穴釣り用釣竿穂先部。
【請求項３】  握持杆部の先端に穂先部を取付けた穴釣り用釣竿において、前記握持杆部は、柄端が封止され、先端が開口した角筒部材で形成され、この上部側面に糸巻きが固着され、前記穂先部は、ステンレス鋼またはリン青銅製の板体で形成され、先端方向に向けて徐々に幅細であると共に、部材の表裏両面を先端方向に向かって徐々に薄く形成し、穂先部の基部厚みに対して先端厚みを五分の一乃至三十分の一に形成され、更に穂先基部を挾着固定する割り溝が施された挾着片と、挿着鍔部より基端方向に詰み片とを一体に形成したジョイント部を設けて成り、上記ジョイント部の詰み片を上記握持杆部の開口先端に挿着することにより穴釣り用釣竿として使用し得ると共に、携帯時には上記握持杆部の開口先端から上記ジョイント部の挾着片を挿着して上記握持杆部の筒部内に穂先部を収納するようにしたことを特徴とする穴釣り用釣竿。
【発明の詳細な説明】
【０００１】
【発明の属する技術分野】
本発明は、冬の湖上で氷に穴を開設して行なう所謂、穴釣りに適した穴釣り用釣竿に関するものである。なお、上記穴釣りの対象魚はワカサギである。
【０００２】
【従来の技術】
従来、一般に川や湖での釣りに使用される釣竿としては、山女、岩魚、はや等の対象魚に用いられる渓流竿、鮎の友釣り等に用いられる鮎竿、へら鮒を対象魚として用いられるへら竿、ルアーのスピニングリール用ロッドあるいはルアーのベイトキャスティングリール用ロッドとして用いられるルアーロッド、スピニング・ベイト、またフライフィッシング用ロッドとして用いられるフライロッド等に大別されるが、穴釣り用の釣竿はそれらの釣竿とはタイプを異にするものであり、極めて特殊な釣竿と言える。従って、穴釣り用の釣竿としての市販品は珍しく、ほとんどの場合には釣人が自らオリジナルの釣竿を製作し穴釣りに興じているというのが現状である。
【０００３】
従来の代表的な穴釣り用釣竿の構造について述べる。図７は従来の穴釣り用釣竿の概要を示した平面図である。図示のように、従来の穴釣り用釣竿１１は、糸巻き１３が固着された握持杆部１２及び穂先部１４から構成されるものである。ここで、上記握持杆部１２は丸棒を切削及び開穴加工をして、一方端に穂先基部を差し込むために差込み穴１６を穿穴すると共に、両端を丸めらた長さ２０cm〜３０cmの丸棒で形成されている。また、穂先部１４は、穂先状に竹を切削加工したものやソリッドなグラスファイバーを切削加工し、握持基部より穂先方向に徐々に細められた断面円筒状の杆体で、３０cm〜４０cmの長さに形成され、この穂先部１４を基部より上記差込み穴１６に挿着したものである。一方、糸巻き１３は略逆Ｔ字型の糸巻き用ツメ具を２個準備し、図示のように握持杆部１２の長さ方向に対して所定対抗隔置して締付け糸により巻回固定したものである。更に、ワカサギの所謂アタリはかなり小さいものであるため、穂先部１４の杆先にはゴム管１５を取付けてアタリをとるようにする。
【０００４】
しかしながら、穴釣り用釣竿が対象とする漁法は、氷上に約３０cm程度の穴を開設し、その穴に仕掛け糸を垂らし、また仕掛けに掛かったワカサギを引き上げる際には手で釣糸をたぐりながら引き上げるというように、穴釣り用釣竿に求められる復元性には方向性があり、穂先部の機能は杆の弾性を活かし魚の引きに対抗して水面より魚を引き上げることではなく、ワカサギの極めて弱いアタリを鋭敏に顕示することにあると言って良い。
【０００５】
そこで本発明者は、ワカサギの極めて弱いアタリを鋭敏に顕示し得る穂先部について種々の研究を行なった。先ず、穂先部の形状を一般的な釣竿の穂先形状に細める場合、竹を穂先状に切削加工した場合も、ソリッドなグラスファイバーを切削加工した場合も、穂先部に嫋やかさを付与するために穂先基部より穂先部にかけて徐々に径を細めて緩やかなテーパーに仕上げたものにあっては穂先部が折れ易く、逆に折れ難くするためにテーパーを強めたものにあっては嫋やかさを欠くものであり、微妙なワカサギのアタリが取り難いものであった。このような結果から一般的な釣竿形状に細めた穂先部では穴釣り用釣竿としての好適な嫋やかさと復元性は得られない欠点があった。
【０００６】
【発明が解決しようとする課題】
従来の穴釣り用釣竿の穂先は、竹を穂先状に切削加工するか、ソリッドなグラスファイバーを切削加工したものであるが、ワカサギの所謂アタリは極めて小さいものである。そこで、上記アタリを杆先に反映するためには、穂先部が極めて嫋やかであると共に復元性に富むものである必要がある。ところが、上記竹あるいはソリッドなグラスファイバーを穂先状に切削加工したものにあっては、嫋やかではあっても復元性を欠くものであったり、復元性はあっても嫋やかさを欠くものであったりで、上記のように杆先にゴム管を付した場合であっても、初心者にはなかなかアタリをとることが難しいという欠点があった。
【０００７】
そこで、本発明者は上記従来の技術の欠点に鑑み種々の研究と実験の結果、漸く本発明に係る穴釣り用釣竿穂先部およびこれを取付けた穴釣り用釣竿を完成したものであって、本発明の目的とするところは、初心者であっても極めてアタリのとり易いと共に携帯に便利な穴釣り用釣竿を提供することにある。
【０００８】
【課題を解決するための手段】
本発明の請求項１に係る穴釣り用釣竿穂先部は、握持杆部の先端に取付けられる穂先部であって、ステンレス鋼またはリン青銅製の板体で形成され、先端方向に向けて徐々に幅細であると共に、部材の表裏両面を先端方向に向かって徐々に薄く形成し、穂先部の基部厚みに対して先端厚みを五分の一乃至三十分の一に形成したことを特徴とするものである。【０００９】
本発明の請求項２に係る穴釣り用釣竿穂先部は、請求項１においてステンレス鋼が、マンガン成分の添加量が１１乃至１６％であるオーステナイト系の高マンガン強力鋼であるか、析出硬化系の１７−７ＰＨ鋼であり、またリン青銅が、ＪＩＳ規格Ｈ３１３０のＰＢＳＰ、バネ用リン青銅であることを特徴とするものである。
【００１０】
本発明の請求項３に係る穴釣り用釣竿は、握持杆部の先端に穂先部を取付けた穴釣り用釣竿において、前記握持杆部は、柄端が封止され、先端が開口した角筒部材で形成され、この上部側面に糸巻きが固着され、前記穂先部は、ステンレス鋼またはリン青銅製の板体で形成され、先端方向に向けて徐々に幅細であると共に、部材の表裏両面を先端方向に向かって徐々に薄く形成し、穂先部の基部厚みに対して先端厚みを五分の一乃至三十分の一に形成され、更に穂先基部を挾着固定する割り溝が施された挾着片と、挿着鍔部より基端方向に詰み片とを一体に形成したジョイント部を設けて成り、上記ジョイント部の詰み片を上記握持杆部の開口先端に挿着することにより穴釣り用釣竿として使用し得ると共に、携帯時には上記握持杆部の開口先端から上記ジョイント部の挾着片を挿着して上記握持杆部の筒部内に穂先部を収納するようにしたことを特徴とするものである。
【００１１】
【作用】
本発明に係る穴釣り用釣竿穂先部は、特にステンレス鋼またはリン青銅製で、先端方向に向けて徐々に幅細であると共に、部材の表裏両面を徐々に薄く形成し、基部厚みに対して先端厚みを五分の一乃至三十分の一に形成した板体のものである。
【００１２】
穂先部は、渦巻きバネの材料等に使用され極めて復元性の高いステンレス鋼またはリン青銅製で、先端方向に向けて徐々に幅細であると共に、部材の表裏両面を徐々に薄厚にし、基部厚みに対して先端厚みを五分の一乃至三十分の一の板体で形成したので、微妙なワカサギのアタリも鋭敏に穂先の動きとして表すことができる。また、穂先部の調子及び硬さは、穂先部材の先端方向に向けて徐々に幅細とする程度の大小及び、穂先部材の表裏両面の徐々に薄くする程度の大小により調整できる。即ち、穂先部材の先端方向に向けて強く幅細とすると共に、穂先部材の表裏両面の徐々に薄厚にする程度を強くするようにすると、先調子で硬い穂先部材が得られる。また、逆に穂先部材の先端方向に向けて緩く徐々に幅細とすると共に、穂先部材の表裏両面の徐々に薄くする程度を緩くするようにすると、胴調子で軟かい穂先部材が得られる。
【００１３】
【発明の実施の形態】
以下、更に本発明に係る好適な実施の形態を通し引続き本発明について詳説するものとする。図２は本発明に係る穴釣り用釣竿穂先部の平面図であり、同じく図３は穴釣り用釣竿穂先部の正面図である。ここで、上記穂先部７は渦巻きバネの材料等に使用され極めて復元性の高いステンレス鋼製（オーステナイト系の高マンガン強力鋼）で、図示のように穂先部７の形状は先端方向に向けて徐々に幅細であると共に、部材の表裏両面を徐々に薄厚にし、基部厚み０．３mmに対して先端厚みを０．０３mmに形成した板体である。
【００１４】
更に、図４は本発明に係る穴釣り用釣竿のジョイント部に、穂先部を挾着固着した際の側面図である。ここで、図示のようにジョイント部６は、挿着鍔部４より基端方向に詰み片９及び先端方向に割り溝１０が施された挾着片５が形成されたものであり、上記割り溝１０には穂先部７の基部が挾着固着されている。また、図示のように穂先部７の表面側には先端部及びその先端部より基部方向に間隔を置いてガイドライン８が配置され取着されている。一方、釣糸はガイドライン８のリング内に糸通しされ穂先部７に魚のアタリが鋭敏に反映されるようになる。
【００１５】
図５は本発明に係る穴釣り用釣竿の握持杆部の正面図であり、図６は穴釣り用釣竿の握持杆部の左側面図である。図示のように、握持杆部２は柄端がやや細められて封止されている一方先端が開口した角筒部材であり、上面には略背びれ状の糸巻き３が固着されている。また、図示しないながらも、上記穂先部７が挾着固着されたジョイント部６は、携帯時には握持杆部２の上記開口先端にジョイント部６の挾着片５を挿着して握持杆部２の筒部内に上記穂先部７を収納するようにできる。
【００１６】
また図１は本発明に係る穴釣り用釣竿の平面図である。握持杆部２の開口先端に上記ジョイント部６の詰み片９を挿着して、本発明に係る穴釣り用釣竿１を形成したものである。そこで、本発明に係る穴釣り用釣竿１により、実際に穴釣りを実施したところ、携帯に便利である一方、穂先部７が極めて嫋やかであると共に復元性に富むものであることから、ワカサギの微妙なアタリも穂先部７に鋭敏に現れ、初心者にも容易にワカサギ釣りを楽しむことができるものである。また、詳しい例示は省略するものとするが、本発明に係る穂先部７は本実施の形態のオーステナイト系の高マンガン強力鋼の他、析出硬化系の１７−７ＰＨ鋼、ＪＩＳ規格Ｈ３１３０のＰＢＳＰ、バネ用リン青銅製のものも良好に採用できるものである。
【００１７】
【本発明の効果】本発明は、上記記載のように構成されているので、以下の効果を有するものである。本発明に係る穴釣り用釣竿穂先部によれば、釣竿の穂先が極めて嫋やかであると共に復元性に富むものであるから、ワカサギの微妙なアタリも穂先に鋭敏に表れるという効果がある。
【００１８】
また、本発明に係る穴釣り用釣竿によれば、携帯時には穂先を握持杆部の筒部内に収納することができるので、携帯時に穂先を折曲するという支障を防止できるという効果もある。
【００１９】
更に、本発明に係る穴釣り用釣竿によれば、握持杆部を角筒部材としたので、アタリが来るまでそのまま氷上に置いておくことができるという効果もある。
【図面の簡単な説明】
【図１】本発明に係る穴釣り用釣竿の平面図。
【図２】本発明に係る穴釣り用釣竿の穂先部の平面図。
【図３】本発明に係る穴釣り用釣竿の穂先部の正面図。
【図４】本発明に係る穴釣り用釣竿のジョイント部に、穂先部を挾着固着した際の正面図。
【図５】本発明に係る穴釣り用釣竿の握持杆部の正面図。
【図６】本発明に係る穴釣り用釣竿の握持杆部の左側面図。
【図７】従来の穴釣り用釣竿の概要を示した平面図。
【符号の説明】
１  本発明に係る穴釣り用釣竿
２、１２  握持杆部
３、１３  糸巻き
４  挿着鍔部
５  挾着片
６  ジョイント部
７、１４  穂先部
８  ラインガイド
９  詰み片
１０  割り溝
１１  従来の穴釣り用釣竿
１５  ゴム管
１６  差込み穴
【手続補正２】
【補正対象書類名】図面
【補正対象項目名】図７
【補正方法】変更
【補正の内容】
【図７】
1998276626.tif 000001